(57)【要約】【課題】コンテンツの再生装置において、コンテンツ再生を停止する際に、再生停止位置情報を記憶し、再度再生を開始する場合に、記憶していた再生停止位置情報を基に、停止した位置からの再生を行っている。しかしながら、再生を再開する場合に、新たにデータの読み出しまでに、時間がかかってしまう。【解決手段】信号読み取り手段２と、信号復号手段３と、出力手段４と、再生制御操作手段５と、ディスク再生制御手段６ａと、動作停止時のディスクの再生位置情報を記憶するレジューム情報記憶装置８と、記憶装置７と、停止指令を受けて信号読み取り手段２の再生信号を記憶装置７に記憶させる先読み記憶制御手段６ｂと、再生指令を受けて記憶装置７に記憶した再生信号を信号復号手段３に出力するメモリ再生制御手段６ｃとを備える。【選択図】図１
2005293784.tif 000002
【特許請求の範囲】
【請求項１】
途中停止した続きから再生するレジューム再生を行うディスクの再生方法であって、前記ディスクの前記途中停止の際にその停止位置から所定の区間前記ディスクに記録された情報を記憶する先読み記憶工程と、前記レジューム再生するため前記ディスクに記録された情報を再生するディスク再生工程と、前記ディスク再生工程によって再生を行う準備の間に前記先読み記憶工程にて記憶した情報を再生するメモリ再生工程とを含むディスク再生方法。
【請求項２】
ディスク再生工程によってレジューム再生の準備を行う時間を計算する準備時間計算工程を含み、前記準備時間計算工程によって計算された時間に相当する区間を前記先読み記憶工程により記憶する請求項１記載のディスク再生方法。
【請求項３】
準備時間計算工程は、過去数回分の再生開始時の準備時間を平均化する請求項２記載のディスク再生方法。
【請求項４】
準備時間計算工程によって計算された時間が先読み記憶工程に記憶できる容量を超える区間となった場合、レジューム再生時残り再生準備時間が前記先読み記憶工程に記憶できる容量に相当する区間以下になるまでメモリ再生工程による再生を行わない請求項２または請求項３記載のディスク再生方法。
【請求項５】
ディスクに記録された情報を読み取って再生信号を出力する信号読み取り手段と、前記再生信号を復号する信号復号手段と、復号された前記再生信号を出力する出力手段と、ディスク再生を制御する再生制御操作手段と、前記再生制御操作手段から前記ディスクの再生指令を受けて前記信号読み取り手段を動作し前記再生制御操作手段から停止指令を受けて再生中の前記信号読み取り手段から前記信号復号手段への出力を停止するとともに前記信号読み取り手段の続き再生のためのレジューム再生準備時間に相当する所定時間の経過後に前記信号読み取り手段の動作を停止するディスク再生制御手段と、前記信号読み取り手段の動作停止時の前記ディスクの再生位置情報を記憶するレジューム情報記憶装置と、前記信号読み取り手段の前記再生信号を記憶し前記信号復号手段に出力可能な記憶装置と、前記再生制御操作手段からの前記停止指令を受けて前記信号読み取り手段の前記再生信号を前記所定時間内前記記憶装置に記憶させる先読み記憶制御手段と、前記再生制御操作手段から前記信号読み取り手段の停止後の前記レジューム再生のための再生指令を受けて前記記憶装置に記憶した前記再生信号を前記信号復号手段に出力するメモリ再生制御手段とを備え、前記ディスク再生制御手段は前記レジューム再生の再生指令を受けた場合に、前記レジューム情報記憶装置から前記再生位置情報を取り出してその情報をもとに前記信号読み取り手段に前記ディスクから信号を読み出させかつ前記信号復号手段に出力させることを特徴とするディスク再生装置。
【請求項６】
ディスク再生制御手段が続き再生の再生指令を受けて信号読み取り手段のレジューム再生準備時間に相当する所定時間を計算する準備時間計算手段を備え、先読み記憶制御手段は前記準備時間計算手段によって計算された所定時間に相当する区間を記憶装置に記憶する請求項５記載のディスク再生装置。
【請求項７】
準備時間計算手段は、過去数回分の再生開始時のレジューム再生準備時間を平均化したものである請求項６記載のディスク再生装置。
【請求項８】
準備時間計算手段によって計算された所定時間が記憶装置に記憶できる容量に相当する区間を超える区間となった場合、メモリ再生手段はレジューム再生をさせた際の残りの再生準備時間が記憶装置に記憶できる容量に相当する区間以下になるまで、前記記憶装置から信号復号手段に再生信号を出力しない請求項６または請求項７記載のディスク再生装置。
【発明の詳細な説明】
【技術分野】
【０００１】
本発明は、光ディスク等に記録された音声や映像等の情報を続き再生することが出来るディスク再生装置ならびにディスク再生方法に関するものである。
【背景技術】
【０００２】
図５は従来の光ディスク再生装置のブロック図を示すものである。図５において、１は光ディスク、２は信号読み取り手段、３は信号復号手段、４は出力手段、５はディスク再生制御操作手段、６はマイクロプロセッサ（ＣＰＵ）、８はレジューム情報記憶装置で構成されている。
【０００３】
この装置は、信号読み取り手段２にて読み取った光ディスク１からの再生信号のうち、映像や音声に関する信号を信号復号手段３にて復号して出力手段４から出力するものである。
【０００４】
次に、以上のように構成された従来技術の光ディスク再生装置の動作を図６に示すフローチャートに従って説明する
まずディスク再生制御操作手段５によって光ディスク１の再生が指令され、ＣＰＵ６によって再生が開始される（Ａ）。光ディスク再生装置が再生途中でディスク再生制御操作手段５から停止指示を受けた場合、信号復号手段３への信号の出力を停止する（Ｂ）と共に現在再生しているディスクの再生位置情報をレジューム情報記憶装置８に記憶しディスクを停止させる（Ｅ）。次にディスク再生制御操作手段５から再生指示を受けた場合、ディスク再生制御手段６ａはレジューム情報記憶装置８から前回の再生位置情報を取り出し、その情報をもとに光ピックアップ２ａを動作させるなどの再生の準備を行い（Ｆ）、その準備が完了後にディスク再生制御手段６ａより再生開始するものである（Ｉ）。
【特許文献１】特願昭５９−１３３３９７号
【発明の開示】
【発明が解決しようとする課題】
【０００５】
このような従来の光ディスク再生装置は、レジューム再生を行う際に信号読み取り手段２が、光ディスク１内のレジューム情報記憶装置８から読み出した再生位置情報に合致した部分にアクセスし、実際に映像や音声などに関する情報を出力するまでに時間を要することとなる。
【０００６】
近年、このような光ディスク再生装置は大幅なコストダウンを求められており、信号読み取り手段２も安価なものが使用されている。安価な信号読み取り装置２はその性能のひ弱性により、目的とする部分へのアクセスなど、映像や音声などに関する情報を出力するまでの時間が増加する傾向にある。また、このような光ディスク再生装置は、長年の使用により信号読み取り装置の経年変化による劣化が起こり、目的とする部分へのアクセスなど、映像や音声などに関する情報を出力するまでの時間が増加することとなる。
【０００７】
このような状況下において、光ディスク再生装置は、ユーザが再生指示を行ってから光ディスク１の映像や音声などに関する情報が出力されるまでの時間を短縮することが要求されている。
【０００８】
しかしながら、上記の従来構成では、信号読み取り手段２の読み取り性能がひ弱化し、アクセス等が遅くなればなるほど、また、経年変化による劣化が発生するほど、ユーザが再生指示を行ってから映像や音声などに関する情報が出力されるまでの時間がかかることとなっていた
本発明は、上記の課題に鑑みてなされたものであり、ユーザが再生指示を行ってから映像や音声などに関する情報が出力されるまでの時間を短くする事を目的としてなされたものである。
【課題を解決するための手段】
【０００９】
本発明のディスク再生方法は、途中停止した続きから再生するレジューム再生を行うディスクの再生方法であって、ディスクの途中停止の際にその停止位置から所定の区間ディスクに記録された情報を記憶する先読み記憶工程と、レジューム再生するためディスクに記録された情報を再生するディスク再生工程と、ディスク再生工程によって再生を行う準備の間に先読み記憶工程にて記憶した情報を再生するメモリ再生工程とを含む。
【００１０】
上記構成において、ディスク再生工程によってレジューム再生の準備を行う時間を計算する準備時間計算工程を含み、準備時間計算工程によって計算された時間に相当する区間を先読み記憶工程により記憶する。
【００１１】
上記構成において、準備時間計算工程は、過去数回分の再生開始時の準備時間を平均化する。
【００１２】
上記構成において、準備時間計算工程によって計算された時間が先読み記憶工程に記憶できる容量を超える区間となった場合、レジューム再生時残り再生準備時間が先読み記憶工程に記憶できる容量に相当する区間以下になるまでメモリ再生工程による再生を行わない。
【００１３】
本発明のディスク再生装置は、ディスクに記録された情報を読み取って再生信号を出力する信号読み取り手段と、再生信号を復号する信号復号手段と、復号された再生信号を出力する出力手段と、ディスク再生を制御する再生制御操作手段と、再生制御操作手段からディスクの再生指令を受けて信号読み取り手段を動作し再生制御操作手段から停止指令を受けて再生中の信号読み取り手段から信号復号手段への出力を停止するとともに信号読み取り手段のレジューム再生のためのレジューム再生準備時間に相当する所定時間の経過後に信号読み取り手段の動作を停止するディスク再生制御手段と、信号読み取り手段の動作停止時のディスクの再生位置情報を記憶するレジューム情報記憶装置と、信号読み取り手段の再生信号を記憶し信号復号手段に出力可能な記憶装置と、再生制御操作手段からの停止指令を受けて信号読み取り手段の再生信号を所定時間内記憶装置に記憶させる先読み記憶制御手段と、再生制御操作手段から信号読み取り手段の停止後のレジューム再生のための再生指令を受けて記憶装置に記憶した再生信号を信号復号手段に出力するメモリ再生制御手段とを備え、ディスク再生制御手段はレジューム再生の再生指令を受けた場合に、レジューム情報記憶装置から再生位置情報を取り出してその情報をもとに信号読み取り手段にディスクから信号を読み出させかつ信号復号手段に出力させることを特徴とするものである。
【００１４】
上記構成において、ディスク再生制御手段がレジューム再生の再生指令を受けて信号読み取り手段のレジューム再生準備時間に相当する所定時間を計算する準備時間計算手段を備え、先読み記憶制御手段は準備時間計算手段によって計算された所定時間に相当する区間を記憶装置に記憶する。
【００１５】
上記構成において、準備時間計算手段は、過去数回分の再生開始時のレジューム再生準備時間を平均化したものである。
【００１６】
上記構成において、準備時間計算手段によって計算された所定時間が記憶装置に記憶できる容量に相当する区間を超える区間となった場合、メモリ再生手段はレジューム再生をさせた際の残りの再生準備時間が記憶装置に記憶できる容量に相当する区間以下になるまで、記憶装置から信号復号手段に再生信号を出力しない。
【発明の効果】
【００１７】
本発明のディスク再生方法および装置によれば、再生状態においてユーザから停止指示があった場合、次に続いて再生した際にディスク再生手段がレジューム情報記憶装置から前回の再生位置情報を取り出し、前回の停止した続きからレジューム再生を行う準備をする間に相当する時間、映像や音声に関する情報を先読み記憶制御手段により記憶装置に記憶する。次にユーザから再生指示があった場合ディスク再生手段が再生の準備をする間、メモリ再生制御手段によって記憶装置に記憶された映像や音声に関する情報の再生を行う。これにより、ディスク再生装置はメモリ再生装置が記憶装置に記憶している映像や音声に関する情報を全て出力した後に、ディスク内の映像や音声に関する情報をシームレスに出力することが可能である。その結果、ディスク再生装置がレジューム再生を行う際に、ユーザからの再生指示があった直後に映像や音声などに関する情報が出力装置に出力されることとなり、ユーザが再生指示を行ってから映像や音声などに関する情報が出力されるまでの時間を短くするという有利な効果が得られる。
【００１８】
また、再生状態においてユーザから停止指示があった際は、その安全性や消費電力、耐久性等の問題によりディスクの回転は出来るだけ速やかに停止することが求められる。この場合、ディスク再生制御手段が再生準備を行う時間を計算する準備時間計算手段は、信号読み取り手段の劣化による準備期間の増大にも対応でき、その時点での最適な準備時間を計算することにより、ユーザからの停止指示があってからディスクの回転停止までの時間を最短にすることが可能となる。
【００１９】
準備時間計算手段は、過去数回分の再生開始時の準備時間を平均化したものとすると、ディスク再生制御手段の経年的劣化による準備時間の増加にも対応することができる。
【００２０】
さらに、準備時間計算手段により計算された再生に要する準備時間が記憶装置に記憶できる時間より多くなった場合、ユーザからの再生指示の直後にメモリ再生手段から映像や音声に関する情報の再生を行うとディスク再生手段の再生準備が出来る前に記憶装置の記憶情報が無くなってしまう。その際は記憶装置の記憶時間に合わせてメモリ再生手段からの映像や音声に関する情報の出力を遅らせることにより、メモリ再生手段からの再生とディスク再生手段からの再生をシームレスに繋ぐことが可能となる。
【発明を実施するための最良の形態】
【００２１】
以下本発明の実施の形態について、図面を交えて説明する。
【００２２】
（実施の形態１）
図１は、本発明の第１の実施の形態における光ディスク再生装置のブロック図を示し、図１において、１は映像や音声が含まれた情報の記録されている光ディスク、２は光ディスク１からの再生信号を読み取る為の信号読み取り手段であり、光ピックアップ２ａ、ドライバ２ｂ、ＡＤＳＣ２ｃ、ＯＤＣ２ｄから構成されている。３は信号読み取り手段２にて読み取られた再生信号を復号するための信号復号手段であり、ＡＶデコーダ３ａ、ＤＡコンバータ３ｂから構成されている。４は信号復号手段３にて復号された再生信号を出力する出力手段であり、例えば、テレビやスピーカ等を用いる。５はユーザが光ディスク１の再生等を指示するためのディスク再生制御操作手段であり、キースイッチ５ａ、サブマイコン５ｂから構成されている。６は光ディスク装置全体の制御を司る制御手段であるメインマイコン（ＣＰＵ）であり、ディスク再生制御手段６ａ、先読み記憶制御手段６ｂ、メモリ再生制御手段６ｃとを備えている。７は信号読み取り手段２から読み取った再生信号を記憶することが出来る記憶装置である。８は再生が途中で停止された場合に、その時点の光ピックアップ２ａの位置や、光ディスク１の再生の状態を記憶するレジューム情報記憶装置である。
【００２３】
以上のように構成された本実施の形態の光ディスク再生装置の動作を、図２に示すフローチャートに従って説明する。
【００２４】
まずディスク再生制御操作手段５によって光ディスク１の再生が指令され、ＣＰＵ６によって再生が開始される（Ａ）。次にディスク再生制御操作手段５によって光ディスク１の停止が指令されると、ディスク再生制御手段６ａは信号読み取り手段２から信号復号手段３への信号の出力を停止する（Ｂ）。これにより出力手段４への信号の出力も停止され、映像や音声の情報が途切れることとなる。次に、この信号復号手段３への信号出力の停止と同時に先読み記憶制御手段６ｂが所定の時間の間、信号読み取り手段２からの信号を記憶装置７に出力し信号を記憶させる（Ｄ）。所定の時間が経過後にディスク再生制御手段６ａは、その時点の光ピックアップ２ａの位置情報や光ディスク１の再生の状態等のレジューム再生に必要な情報を、レジューム情報記憶装置８に記憶すると共に、信号読み取り手段２に停止を指示し光ディスク１の回転を止める（Ｅ）。
【００２５】
次に、ディスク再生制御操作手段５によって光ディスク１の再生が指令されると、ディスク再生制御手段６ａはレジューム情報記憶装置８に記憶されたレジューム再生に必要な情報をもとに、光ピックアップ２ａを動作させる等の光ディスク１の再生準備を行う（Ｆ）。それと同時にメモリ再生制御手段６ｃは記憶装置７に記憶された信号を信号複合手段３に出力を行う（Ｇ）。これにより、出力手段４にも信号が出力され、再生の指令と同時に出力手段４から映像や音声などの情報が出力されることとなる。光ディスク１の再生準備を行っているディスク再生制御手段６ａは信号読み取り手段２から信号復号手段３へ出力可能な状態になるとその時点で待機し、記憶装置７に記憶していた全ての情報がメモリ再生制御手段６ｃによって信号復号手段３に出力され、記憶装置７が空になる（Ｈ）と同時に、ディスク再生制御手段６ａは信号読み取り手段２から信号復号手段３へ信号を出力する（Ｉ）。
【００２６】
以上のように本実施の形態によれば、光ディスク１の再生を途中で止め、次に続きから再生するレジューム再生をする際に、再生の準備をする間を待つことなく再生指令と同時に信号を出力することが出来ることとなる。
【００２７】
なお、所定の時間はタイマ等により設定することができる。
【００２８】
（実施の形態２）
次に、第２の実施の形態について図面を交えて説明する。なお、前述した第１の実施の形態と同じ構成を有する部材には同一の番号を付記して、説明を省略する。
【００２９】
図３は第２の実施の形態における光ディスク再生装置のブロック図である。第２の実施の形態の光ディスク再生装置と第１の実施の形態の光ディスク再生装置の異なる点は、ディスク再生制御手段６ａが信号読み取り手段２から信号復号手段３へ信号が出力可能となるまでの準備時間を計算する準備時間計算手段６ｄと、記憶装置７内に記憶された情報の時間とメモリ再生制御手段６ｃによる再生開始を管理するメモリ再生時間管理手段６ｅを設けた点にある。
【００３０】
次に、以上のように構成された本実施の形態の光ディスク再生装置の動作を図４に示すフローチャートに従って説明する。ここでは、第１の実施の形態と異なる点を中心に説明する。
【００３１】
この光ディスク再生装置は、ディスク再生制御操作手段５によって光ディスク１の停止が指令された際、先読み記憶手段６ｂが信号読み取り手段２からの信号を記憶装置７に出力し信号を記憶させるが、その際に準備時間計算手段６ｄにより先読み記憶を行う時間を計算するものである（Ｃ）。この準備時間計算手段６ｄは光ピックアップ２ａのシーク性能やドライバ２ｂによる光ディスク１の回転制御性能など、光ディスク再生装置個々の能力を過去の再生時のデータなどを基に算出を行い、現在の光ピックアップ２ａの位置情報などと共に次に続きからレジューム再生を行った際に、再生準備に要する時間を計算するものである。また、この準備時間計算手段６ｄは、過去数回分の再生開始時の準備時間を平均化することにより、現在の自己の再生能力を算出するため、経年変化による光ディスク再生装置の劣化にも対応できるものである。
【００３２】
次に、ディスク再生制御操作手段５によって光ディスク１の再生が指令される際、ディスク再生制御手段６ａが光ディスク１の再生準備を行う間、メモリ再生制御手段６ｃは記憶装置７に記憶された信号を信号複合手段３に出力するが、その際にメモリ再生時間管理手段６ｅによって記憶装置７内に記憶されている情報の時間と準備時間計算手段６ｄによって計算された時間を比較する。その結果、準備時間計算手段６ｄによって計算された時間が記憶装置７内に記憶されている情報の時間より大きい場合は、メモリ再生手段６ｃによる再生を行わない（Ｊ）。これは、ディスク再生制御手段６ａが光ディスク１の再生準備にかかる時間が、搭載された記憶装置７の容量より大きい場合に相当する。これにより、ディスク再生制御手段６ａの再生準備にかかる時間が大きな場合でも、メモリ再生制御手段６ｃからの再生と、ディスク再生制御手段６ａからの再生をシームレスに繋ぐことが可能となる。
【００３３】
以上のように本実施の形態によれば、ディスク再生制御操作手段５からの停止指示後、光ディスク１の停止までの時間を最短にしてユーザが再生指示を行ってから映像や音声などに関する情報が出力されるまでの時間を短くするという効果が得られる。また記憶装置７の容量に係わらず、メモリ再生制御手段６ｃからの再生とディスク再生制御手段６ａからの再生をシームレスに繋ぐことが出来るという効果が得られる。
【産業上の利用可能性】
【００３４】
本発明にかかる光ディスク再生装置は、光ディスク再生装置がレジューム再生を行う際に、ユーザからの再生指示があった直後に映像や音声などに関する情報が出力装置に出力されることとなり、ユーザが再生指示を行ってから映像や音声などに関する情報が出力されるまでの時間を短くするという有利な効果を有し、光ディスクに記録された音声や映像等の情報を続き再生することが出来る光ディスク再生装置ならびに光ディスク再生方法として有用である。
【図面の簡単な説明】
【００３５】
【図１】本発明の第１の実施の形態における光ディスク再生装置のブロック図である。
【図２】本発明の第１の実施の形態における光ディスク再生装置の制御フローである。
【図３】本発明の第２の実施の形態における光ディスク再生装置のブロック図である。
【図４】本発明の第２の実施の形態における光ディスク再生装置の制御フローである。
【図５】従来の光ディスク再生装置のブロック図である。
【図６】従来の光ディスク再生装置の制御フローである。
【符号の説明】
【００３６】
１    光ディスク
２    信号読み取り手段
２ａ  光ピックアップ
２ｂ  ドライバ
２ｃ  ＡＤＳＣ
２ｄ  ＦＥＰ／ＯＤＣ
３    信号復号手段
３ａ  ＡＶでコーダ
３ｂ  ＤＡコンバータ
４    出力手段
５    ディスク再生制御操作手段
５ａ  キースイッチ
５ｂ  サブマイコン
６    メインマイコン（ＣＰＵ）
６ａ  ディスク再生制御手段
６ｂ  先読み記憶制御手段
６ｃ  メモリ再生制御手段
６ｄ  準備時間計算手段
６ｅ  メモリ再生時間管理手段
７    記憶装置
８    レジューム情報記憶装置
【図１】
2005293784.tif 000003
【図２】
2005293784.tif 000004
【図３】
2005293784.tif 000005
【図４】
2005293784.tif 000006
【図５】
2005293784.tif 000007
【図６】
2005293784.tif 000008